(57)【要約】【課題】  本体枠を閉じた状態で電源スイッチ、消去スイッチの操作を可能にする。【解決手段】  本発明に係る遊技機は、外枠１０と、その外枠１０に対して扉状に開閉可能に装着されており、遊技盤１２０が取付けられる構成の本体枠３０と、その本体枠３０に対して開閉可能に装着されており、透明部分で遊技盤１２０を覆う構成の開閉扉８０とを備える遊技機であって、本体枠３０には、前面位置に電源スイッチと消去スイッチとが設けられていることを特徴とする。【選択図】      図１
2005261933.tif 000002
【特許請求の範囲】
【請求項１】
外枠と、その外枠に対して扉状に開閉可能に装着されており、遊技盤が取付けられる構成の本体枠と、その本体枠に対して開閉可能に装着されており、透明部分で前記遊技盤を覆う構成の開閉扉とを備える遊技機であって、
前記本体枠には、前面位置に電源スイッチと消去スイッチとが設けられていることを特徴とする遊技機。
【発明の詳細な説明】
【技術分野】
【０００１】
この発明は、遊技機に関し、詳しくは、球（パチンコ球）を用いて遊技を行う遊技機に関する。
【背景技術】
【０００２】
この種の遊技機（パチンコ機）が特許文献１に記載されている。
前記パチンコ機３００は、図２１に示すように、外枠３０１と、その外枠３０１に対して開閉可能に装着された本体枠３０２を備えている。本体枠３０２には遊技盤３１０が装着されており、その遊技盤３１０の裏側に遊技制御装置（図示省略）が取付けられている。また、本体枠３０２の裏側には、払出し制御装置や各種電装機器の制御装置が設けられている。遊技盤３１０の遊技制御装置と本体枠３０２の制御装置とは、一般的にその遊技盤３１０が本体枠３０２に取付けられた後、コネクタ付きの電気配線によって相互に接続される。
また、本体枠３０２の回動自由端側の側面には、パチンコ機３００の電源スイッチ３１１と、遊技盤３１０の遊技制御装置や本体枠３０２の払出し制御装置等のメモリに記憶された遊技データを消去するための消去スイッチ３１２とが装着されている。
さらに、本体枠３０２には、遊技盤３１０及びその本体枠３０２の前面を覆う構成の開閉扉３０３（ガラス扉３０３）が装着されている。
【０００３】
【特許文献１】特開２００４−３３５４０号公報
【発明の開示】
【発明が解決しようとする課題】
【０００４】
上記したパチンコ機３００で、例えば、遊技盤３１０を交換する場合には、次の手順で行う必要がある。即ち、先ず、本体枠３０２を開いてその本体枠３０２の裏側にある電気配線のコネクタを外し、使用済みの遊技盤３１０を撤去する。次に、新しい遊技盤３１０を装着した後、その遊技盤３１０側の電気配線と本体枠３０２側の電気配線とをコネクタ接続し、本体枠３０２を閉じる。
このように、遊技盤３１０の交換作業は、本体枠３０２を開いた不安定な状態で行わなければならないため、作業性が悪い。
また、電源スイッチ３１１及び消去スイッチ３１２は本体枠３０２の側面に装着されているため、それらのスイッチ３１１，３１２を操作する際に、本体枠３０２を開かなければならない。ここで、本体枠３０２は、遊技盤３１０のみならず多数の遊技球を収納するタンクやタンクレール及び払出し装置等が取付けられているため、重量が大きい。このため、電源スイッチ３１１及び消去スイッチ３１２を操作するたびに重い本体枠３０２を開かなければならず、操作性が悪い。特に、電源スイッチ３１１及び消去スイッチ３１２は、遊技機３００を起動させる際（営業開始時）に操作するため、使用頻度が高く、操作性の改善が要望されている。
本発明は、上記問題点を解決するためになされたものであり、本発明の技術的課題は、本体枠を閉じた状態で遊技盤の交換等、及び電源スイッチ、消去スイッチの操作が可能な遊技機を提供することである。
【課題を解決するための手段】
【０００５】
上記した課題は、各請求項の発明によって解決される。
請求項１の発明は、
「  外枠と、その外枠に対して開閉可能に装着されており、遊技盤が取付けられる構成の本体枠と、前記遊技盤に設けられた第１遊技制御手段と、前記本体枠に設けられた第２遊技制御手段と、前記本体枠に対して開閉可能に装着されており、透明部分で前記遊技盤を覆う構成の開閉扉とを備える遊技機であって、
本体枠は、遊技盤を前方から嵌込み可能に構成された遊技盤装着枠と、その遊技盤装着枠の位置に枠側コネクタとを備えており、
前記遊技盤は、その裏面側に前記枠側コネクタと電気的に接続可能な裏側コネクタを備えており、
前記遊技盤が前記本体枠の遊技盤装着枠に対して前方から嵌込まれる動作により、その遊技盤の裏側コネクタと前記本体枠の枠側コネクタとが接続され、前記本体枠の第２遊技制御手段を含む電装機器と前記遊技盤の第１遊技制御手段を含む電装機器とが電気的に接続される構成であり、
前記本体枠には、前記開閉扉に覆われる前面位置に、電源投入用の電源スイッチと、前記第１遊技制御手段及び／又は第２遊技制御手段の記憶部に記憶された遊技データを消去するための消去スイッチとが設けられていることを特徴とする遊技機。」
を要旨とするものである。
【０００６】
本発明によると、遊技盤を本体枠の遊技盤装着枠に対して前方から嵌込み可能な構成のため、外枠に対して本体枠を閉じた状態で前記遊技盤をその本体枠に装着できるようになる。さらに、遊技盤が本体枠の遊技盤装着枠に対して嵌込まれる動作により、その遊技盤の裏側コネクタと前記本体枠の枠側コネクタとが自動的に接続されるため、本体枠を閉じた状態で裏側コネクタと枠側コネクタとを接続できるようになる。したがって、本体枠を開かないで遊技盤の交換を行えるようになり、遊技盤の交換作業が容易になる。
また、遊技機の電源スイッチと消去スイッチとが本体枠の前面に設けられているため、開閉扉（本体枠に比べて軽い）を開くことでその電源スイッチ及び消去スイッチを操作できるようになる。このため、従来のように、遊技機を起動する際に、重量の大きな本体枠を開いてその側面に位置する電源スイッチ及び消去スイッチを操作する必要がなくなり、電源スイッチ及び消去スイッチの操作性が向上する。
【０００７】
請求項２の発明は、
「  請求項１に記載の遊技機であって、
消去スイッチの動作により、第１遊技制御手段と第２遊技制御手段との双方の記憶部に記憶されている遊技データが消去される構成であることを特徴とする遊技機。  」
を要旨とするものである。
このため、第１遊技制御手段に対応する消去スイッチと第２遊技制御手段に対応する消去スイッチとを個別に設ける必要がなくなる。したがって、消去スイッチ及びそれに伴う電気配線も一セットで良くなる。即ち、本体枠の前面に設けられた消去スイッチとその本体枠の第２遊技制御手段との間で電気配線を行えば良く、前記消去スイッチと遊技盤の第１遊技制御手段との間の電気配線が不要になる。このため、配線作業が複雑化せず容易になる。
請求項３の発明は、
「請求項２に記載の遊技機であって、
消去スイッチの消去信号が本体枠の第２遊技制御手段を介して遊技盤の第１遊技制御手段に入力される構成であることを特徴とする遊技機。」
を要旨とするものである。
このため、遊技機の裏面で配線が乱雑にならない。
請求項４の発明は、
「  請求項１から請求項３のいずれかに記載の遊技機であって、
遊技盤の裏側コネクタの端子が接続される本体枠の枠側コネクタの端子には、消去スイッチの消去信号をその遊技盤の第１遊技制御手段に入力するための専用端子が設けられていることを特徴とする遊技機。」
を要旨とするものである。
このため、消去スイッチの消去信号（ＯＮ―ＯＦＦ信号）を、遊技盤の第１遊技制御手段に送信される他の信号の送信状況に影響されないで、その第１遊技制御手段に入力することができる。例えば、電源投入後であって、本体枠側の第２遊技制御手段が第１遊技制御手段へ他の信号を送信できる状態に至っていなくても、先に消去信号を送信して第１遊技制御手段に入力することが可能である。そのため、消去信号を第１遊技制御手段に容易に入力できるようになる。
【０００８】
請求項５の発明は、
「  請求項１から請求項４のいずれかに記載の遊技機であって、
本体枠の枠側コネクタと遊技盤の裏側コネクタとは、その本体枠の幅方向における一端側に配置されており、
電源スイッチと消去スイッチとは、前記本体枠の幅方向において、前記枠側コネクタ及び前記裏側コネクタと同じ側に配置されていることを特徴とする遊技機。」
を要旨とするものである。
このため、スイッチ類とコネクタ類との配線をまとめて布設することができるようになるため、遊技機の裏側で配線が乱雑になるのを防止できる。
請求項６の発明は、
「  請求項５に記載の遊技機であって、
本体枠の枠側コネクタ、遊技盤の裏側コネクタ、電源スイッチ及び消去スイッチは、開閉扉の回動自由端側に配置されていることを特徴とする遊技機。」
を要旨とするものである。
このように、電源スイッチと消去スイッチとが開閉扉の回動自由端側に配置されているため、開閉扉を少し開くだけで電源スイッチと消去スイッチとを操作可能になり、操作性が向上する。
【０００９】
請求項７の発明は、
「  請求項１から請求項６のいずれかに記載の遊技機であって、
消去スイッチの消去信号は、その消去スイッチが電源スイッチとほぼ同時に操作された場合に限り、第１遊技制御手段及び／又は第２遊技制御手段によって受け入れられる構成であり、
前記第１遊技制御手段及び／又は第２遊技制御手段には、前記消去スイッチの消去信号が入力した時から所定時間だけ、その消去信号を保持する保持手段が設けられていることを特徴とする遊技機。」
を要旨とするものである。
本発明によると、消去スイッチの消去信号は、その消去スイッチが電源スイッチとほぼ同時に操作された場合に限り、第１遊技制御手段及び／又は第２遊技制御手段によって受け入れられる。このため、消去スイッチのみ操作してもその消去信号が第１遊技制御手段及び／又は第２遊技制御手段に受け入れられることはない。したがって、消去スイッチの誤操作で、遊技データが消去されるような不具合がない。また、電源投入時に第１遊技制御手段及び／又は第２遊技制御手段が電気的に安定する前に、消去スイッチの操作が終了した場合でも、保持手段によって消去信号が所定時間だけ保持されるため、その消去信号が第１遊技制御手段及び／又は第２遊技制御手段によって確実に受信されるようになる。
【００１０】
請求項８の発明は、
「  請求項１から請求項７のいずれかに記載の遊技機であって、
第１遊技制御手段及び／又は第２遊技制御手段には、消去スイッチからの消去信号を受けて記憶部に記憶された遊技データを消去する消去手段と、
前記記憶部に記憶された遊技データが消去されたことをチェックするためのチェック手段と、
前記遊技データが消去されなかった場合に、前記記憶部のデータを再度消去する再消去手段とが設けられていることを特徴とする遊技機。」
を要旨とするものである。
本発明によると、チェック手段で遊技データが消去されたことをチェック可能であり、前記遊技データが消去されなかった場合には再消去手段によって記憶部のデータを再度消去できるため、遊技データを確実に消去できる。
【００１１】
請求項９の発明は、
「  請求項１から請求項８のいずれかに記載の遊技機であって、
遊技盤には、第１遊技制御手段及び／又は第２遊技制御手段の記憶部に記憶された遊技データが消去されたことを表示するための表示手段が設けられていることを特徴とする遊技機。」
を要旨とするものである。
このため、遊技データが消去されたことを確認することができる。
請求項１０の発明は、
「  請求項１から請求項９のいずれかに記載の遊技機であって、
電源投入時に消去スイッチが操作されたときのみ、その消去スイッチの消去信号によって第１遊技制御手段及び／又は第２遊技制御手段の消去手段が動作する構成であることを特徴とする遊技機。」
を要旨とするものである。
このため、電源投入後（例えば、遊技中）、誤って消去スイッチを操作しても、第１遊技制御手段及び第２遊技制御手段の遊技データが消去されることがない。
【００１２】
請求項１１の発明は、
「  請求項１から請求項１０のいずれかに記載の遊技機であって、
開閉扉の内側には、その開閉扉が閉じられた状態で、電源スイッチと消去スイッチとを収納可能な収納ケースが設けられていることを特徴とする遊技機。」
を要旨とするものである。
このため、例えば、遊技中に開閉扉と本体枠との隙間から特殊工具を差し入れて、電源スイッチ又は消去スイッチを操作するような不正行為を防止できるようになる。
【発明の効果】
【００１３】
本発明によれば、遊技機の本体枠を閉じた状態で遊技盤の交換等が可能なため、遊技盤の交換作業等が容易になる。また、前記本体枠を閉じた状態で電源スイッチ、消去スイッチの操作が可能なため、電源スイッチ、消去スイッチの操作が容易になる。
【発明を実施するための最良の形態】
【００１４】
次に、本発明を実施するための最良の形態を実施例にしたがって説明する。
【実施例】
【００１５】
図１は遊技機の外枠の一側に本体枠が開かれその本体枠の一側にガラス扉が開かれた状態を示す斜視図である。図２は遊技機の前側全体を示す正面図である。図３は遊技機の後側全体を示す背面図である。図４は遊技機の後側上部を拡大して示す部分背面図である。図５は図４のＶ−Ｖ線に基づく側断面図である。図６は図４のＶＩ−ＶＩ線に基づく側断面図である。図７は遊技機の本体枠と遊技盤とを分離して斜め右上前方から示す斜視図である。図８は遊技機の本体枠に各種部材が組み付けられた状態を斜め右上前方から示す斜視図である。図９は本体枠単体を斜め右上前方から示す斜視図である。図１０は本体枠を
斜め右上後方から示す斜視図である。図１１は本体枠単体を斜め右上後方から示す斜視図である。図１２は外枠と本体枠とを分離した状態を示す斜視図である。なお、説明の便宜上、遊技機において遊技者側を前、反対側を後として説明する。
【００１６】
［遊技機の概要について］
図１〜図３に示すように、遊技機としてのパチンコ機は、外枠１０と、その外枠１０に対して扉状に開閉可能に装着されており、遊技盤１２０が取付けられる構成の本体枠３０と、その本体枠３０に対して開閉可能に装着されており、遊技盤１２０等を覆う構成のガラス扉８０とを備えている。
外枠１０は、上下左右の枠材によって縦長四角形の枠状に形成され、同外枠１０の前側下部には、本体枠３０の下面を受ける下受板１５を有している。
外枠１０の前面の片側には、本体枠開閉用ヒンジ機構２０によって本体枠３０が前方に開閉可能に装着されている。
また、外枠１０の下受板１５の上面には、その左右方向中央部よりも自由端側（ヒンジと反対側）寄り部分において金属板等よりなる耐摩耗性の当て板１６が下受板１５の上面と略同一面をなしてビス等によって固着されている（図１２参照）。
【００１７】
［本体枠の概要について］
図７〜図１１に示すように、本体枠３０は、前枠体３５、遊技盤装着枠１００及び機構装着体１６０を合成樹脂材によって一体成形することで構成されている。
また、この実施例において、合成樹脂製の本体枠３０は、図９と図１１に示すように、前段部３１と、その前段部３１の後側において、同前段部３１の外周よりも小さい外周壁３２ａ、３３ａを有しかつ同前段部３１の後側周囲に段差部をもって形成された中段部３２と、その中段部３２の後側において同中段部３２の外周壁よりも小さい外周壁を有しかつ同中段部３２の後側周囲に段差部をもって形成された後段部３３を有して複数段の段差状に形成されている。
また、中段部３２及び後段部３３の各外周壁は、前側が広く、後側が狭くなる傾斜面をなしている。
そして、前段部３１に前枠体３５が形成され、中段部３２に遊技盤装着枠１００が形成され、中段部３２の後側と後段部３３に機構装着体１６０が形成されている。
【００１８】
［本体枠の前枠体について］
図１と図７に示すように、本体枠３０の前段部３１に形成された前枠体３５は、外枠１０前側の下受板１５を除く外郭形状に対応する大きさの矩形枠状に形成されている。前枠体３５の片側の上下部には、外枠１０側の外枠側ヒンジ具２１（図１２参照）に対応する本体枠側ヒンジ具２２（図７参照）が固定されている。そして、その本体枠側ヒンジ具２２が外枠側ヒンジ具２１に対してヒンジピンとヒンジ孔との働きで連結されることにより、本体枠３０が外枠１０に対して開閉回動可能に装着される。即ち、外枠側ヒンジ具２１、本体枠側ヒンジ具２２、ヒンジピン及びヒンジ孔によって本体枠開閉用ヒンジ機構２０が構成されている。
【００１９】
また、この実施例において、図１２〜図１４に示すように、本体枠３０の前枠体３５の下端面３５ａは、その厚さ方向（前後方向）の中央部から後端にわたって所定角度で面取りされて傾斜面３５ｂに形成されている。そして、その前枠体３５の下端の傾斜面３５ｂのうち、外枠１０の下受板１５上面の当て板１６に対応する自由端寄り部分には、前後方向に延び複数又は単数のリブ状又は突起状の滑走用突部３８が突設されている。
この実施例において、図１３に示すように、複数のリブ状の滑走用突部３８が左右方向に所定間隔を隔てて平行状に突設されている。これら各滑走用突部３８は、略円弧状、又は湾曲状、又は傾斜状をなし、各滑走用突部３８の下端部は、前枠体３５の下端面と略同一面をなしている。
さらに、複数個の滑走用突部３８の突出面は、外枠１０に対し本体枠３０を閉じ位置まで閉じる直前位置において、外枠１０の下受板１５上面の当て板１６にそれぞれ当接して受けられるようになっている。しかも、図１３に示すように、複数個の滑走用突部３８の突出量はヒンジ側が小さく自由端側に向けてしだいに大きく形成されている。
本体枠３０の開閉動作時には、本体枠３０は、それ自身の重量や本体枠３０に装着される各種装置、部材の重量により自由端側が下傾した状態となる。これを矯正しつつ閉じるため、複数個の滑走用突部３８の突出量をヒンジ側が小さく自由端側に向けてしだいに大きくなるように形成する。即ち、本体枠３０を、その自由端側が下傾した状態で閉じると、まず、ヒンジ側最端の滑走用突部３８が当て板１６に当接しながら本体枠３０をその高さに相当する分だけ持ち上げる。引き続いて前記最端の滑走用突部３８に隣接する滑走用突部３８が当て板１６に当接しながら本体枠３０をその高さに相当する分だけ持ち上げる。このようにして、複数の滑走用突部３８により本体枠３０を順次に持ち上げながら閉じ位置まで閉じることができる。このため、本体枠３０の自由端側の下傾を無理なく良好に矯正しつつ外枠１０に対し円滑に閉じることができる。
【００２０】
前記したように、前枠体３５の下端面３５ａに傾斜面３５ｂを形成し、その傾斜面３５ｂに複数個のリブ状の滑走用突部３８を突設することによって、外枠１０に対し本体枠３０を閉じ位置まで閉じる直前位置までは外枠１０の下受板１５上面に対し前枠体３５の下端面３５ａが接触することなく軽快に閉じ動作される。そして、本体枠３０の閉じ位置の直前位置において、複数個の滑走用突部３８の円弧面（又は湾曲面、又は傾斜面）が外枠１０の下受板１５上面の当て板１６にそれぞれ接触して滑走することで、本体枠３０の自由端側が僅かではあるが持ち上げられながら閉じ位置まで良好に閉じられるようになっている。
また、外枠１０に対し本体枠３０を所定位置まで開放する場合においても閉じる場合と略同様にして軽快に開き動作することができる。
【００２１】
図８と図９に示すように、前枠体３５の前側において、遊技盤装着枠１００よりも下方に位置する前枠体３５の前下部領域の一側寄りにはスピーカボックス部５０が一体に形成され、そのスピーカボックス部５０の前側開口部には、同開口部を塞ぐようにしてスピーカ装着板１０７が装着されている。そして、スピーカ装着板１０７にはスピーカ１０９が装着されている。
また、図９と図１１に示すように、スピーカボックス部５０は、前側が大きく後側に向けてしだいに小さくなった複数段の段差箱形状に形成されている。さらに、スピーカボックス部５０の各段部の外周壁５０ａは、前側が広く、後側が狭くなる傾斜面をなしている。
【００２２】
また、図８と図９に示すように、前枠体３５前面の下部領域内には、その上側部分に発射レール装着部４１が形成され、下側部分には、下皿装着部４３が発射レール装着部４１よりも前側に突出して段差状に形成されている。
そして、発射レール装着部４１には、遊技盤１２０の発射通路に向けて球を導く発射レール４２が傾斜状に装着されている。
また、下皿装着部４３の前側には、その下皿装着部４３を覆うようにして下部前面板４４が装着されている。下部前面板４４の前面の略中央部には、下皿４５が設けられ、片側寄りには操作ハンドル４６が設けられている（図１参照）。
【００２３】
図１０〜図１２に示すように、前枠体３５の後側において、遊技盤装着枠１００よりも下方に位置する前枠体３５の後下部領域の片側（図１２に向かって左側）には、発射レール４２の下傾端部の発射位置に送られた球を発射するための発射ハンマー６３、その発射ハンマー６３を作動する発射モータ６２等が取付基板６１に組み付けられてユニット化された発射装置ユニット６０が装着されている。
また、図３、図１０及び図１２に示すように、前枠体３５の後下部領域の略中央部には、電源基板６７を有する電源基板ボックス６６、払出制御基板６９を有する払出制御基板ボックス６８が前後に重ね合わされた状態で装着されている。
また、図１０に示すように、前枠体３５の後下部領域の他側寄り部分（ヒンジ寄り部分）には、そのスピーカボックス部５０の後段差部の凹み部分において下皿用球誘導ケース１８０が装着されている。この下皿用球誘導ケース１８０は上皿が満杯になったときに球を下皿に導くための球誘導路（図示しない）が形成されている。また、下皿用球誘導ケース１８０の後壁部には、インタフェース基板２４０を収納している基板ボックス２４１が装着されている。
【００２４】
［施錠装置について］
図１と図１２に示すように、前枠体３５のヒンジ機構と反対側の自由端側の後側には、外枠１０に対し本体枠３０を施錠する機能と、本体枠３０に対しガラス扉８０を施錠する機能とを兼ね備えた施錠装置９０が装着されている。
即ち、この実施例において、施錠装置９０は、本体枠３０の前枠体３５における自由端側の後側に固定状態で装着された上下方向に長尺な取付基板９１を備えている。取付基板９１には、本体枠施錠板９２と扉施錠板（図示省略）とがそれぞれ上下方向にスライド可能に組付けられている。本体枠施錠板９２には、外枠１０に設けられた閉止具１７（図１参照）に係脱可能に係合して本体枠３０を閉じ状態に施錠可能な上下複数の本体枠施錠フック９３が後方に向けて突出形成されている。本体枠施錠フック９３は、本体枠施錠板９２が上方にスライドすることで、その本体枠施錠板９２と共に上動して外枠１０の閉止具１７に対して下方から掛けられるように構成されている。また、本体枠施錠板９２には、その本体枠施錠板９２を引き上げる方向に付勢されたバネ（図示省略）が連結されており、そのバネ力によって本体枠施錠板９２は上限位置までスライド可能となる。そして、その本体枠施錠板９２が前記バネ力で上限位置までスライドすることにより、本体枠施錠フック９３が外枠１０の閉止具１７に掛けられる。
【００２５】
取付基板９１（図１２参照）に組付けられた扉施錠板には、ガラス扉８０の自由端側の後側に設けられた閉止具８９（図１参照）に係脱可能に係合してガラス扉８０を閉じ状態に施錠可能な上下複数の扉施錠フック９６が前方に向けて突出形成されている。これら扉施錠フック９６は、図１に示すように、前枠体３５の自由端寄り部分に貫設された貫通孔に挿通されてガラス扉８０後側の閉止具８９に係脱可能に臨んでいる。
扉施錠フック９６は、扉施錠板が下方にスライドすることで、その扉施錠板と共に下動してガラス扉８０の閉止具８９に対して上方から掛けられるように構成されている。また、扉施錠板には、その扉施錠板を引き下げる方向に付勢されたバネが連結されており、そのバネ力によって扉施錠板は下限位置までスライド可能となる。そして、その扉施錠板が前記バネ力で下限位置までスライドすることにより、扉施錠フック９６がガラス扉８０の閉止具８９に掛けられる。
また、前記取付基板９１の所定位置には、シリンダー錠９８が装着されている。シリンダー錠９８の前端部は、遊技機の前方から鍵を挿入して解錠操作可能なように、前枠体３５及び下部前面板４４を貫通してその下部前面板４４の前面に露出している。
そして、シリンダー錠９８の鍵穴に鍵が挿入されて一方向に回動操作されることで、そのシリンダー錠９８の第１解錠片（図示省略）が本体枠施錠板９２と係合し、その本体枠施錠板９２と本体枠施錠フック９３とをバネ力に抗して下方にスライドさせる。これによって、本体枠施錠フック９３と外枠１０の閉止具１７との係合が外れ、本体枠３０が解錠される。
また、シリンダー錠９８が、これとは逆方向に回動操作されることで、そのシリンダー錠９８の第２解錠片（図示省略）が扉施錠板と係合し、その扉施錠板と扉施錠フック９６とをバネ力に抗して上方にスライドさせる。これによって、扉施錠フック９６とガラス扉８０の閉止具８９との係合が外れ、ガラス扉８０が解錠される。
【００２６】
［ガラス扉について］
図１と図２に示すように、前枠体３５の前面の片側には、その前枠体３５の上端から下部前面板４４の上縁にわたる部分を覆うようにしてガラス扉８０が扉開閉用ヒンジ機構７０によって前方に開閉可能に装着されている。ガラス扉８０のヒンジ機構７０と反対側に自由端側の後側には、前述の施錠装置９０の扉施錠フック９６に係脱可能に係合してガラス扉８０を閉じ状態に施錠する閉止具８９が設けられている。
また、ガラス扉８０の略中央部には、後述する遊技盤１２０の遊技領域１２４を前方から透視可能な略円形の開口窓８１が形成されている。また、ガラス扉８０の後側には開口窓８１よりも大きな矩形枠状をなす窓枠８２が設けられ、その窓枠８２にはガラス板、透明樹脂板等の透明板８３が装着されている。
また、ガラス扉８０の前面の略全体は、ランプ等が内設された前面装飾部材によって装飾され、同ガラス扉８０の前面の下部には上皿部材８６が形成されている（図２参照）。
即ち、ガラス扉８０が本発明の開閉扉に相当する。
【００２７】
［本体枠の遊技盤装着枠について］
図７と図８に示すように、本体枠３０の遊技盤装着枠１００は、前枠体３５の後側に設けられており、遊技盤１２０が前方から着脱交換可能な状態で装着されるように構成されている。
即ち、この実施例において、遊技盤装着枠１００は、遊技盤１２０が前方から着脱交換可能に嵌込まれる嵌込み枠部１０２を有し、その嵌込み枠部１０２の奥側の枠部内周には遊技盤１２０の後側の周縁部を受け止める後面受け部１０３が形成されている。
また、嵌込み枠部１０２の一側内壁面の上下部２箇所には、後面受け部１０３との間に遊技盤１２０の一側部が差し込み可能な間隔を隔てて前面押え部１０４が形成されている。
【００２８】
また、図８に示すように、嵌込み枠部１０２の他側内壁面の上下部２箇所には、遊技盤１２０に設けられたロック部材１３０（図１、図７参照）に対応する係止部１０６が形成されている。
また、嵌込み枠部１０２の他側部近傍には、本体枠３０側の電装機器と遊技盤１２０側の電装機器とを電気的に接続するための第１コネクタ１１１と第２コネクタ１１２が設置されている。
また、嵌込み枠部１０２の下側部には、遊技盤１２０の前面下部を嵌込み枠部１０２の後面受け部１０３に押さえ付けて緊締するターンバックル形式の緊締具１４９（図８参照）が装着されている。
【００２９】
［遊技盤について］
図７に示すように、遊技盤１２０は、遊技盤装着枠１００の嵌込み枠部１０２の前方から嵌込まれる大きさの略四角板状に形成されている。遊技盤１２０の盤面（前面）には、外レール１２２と内レール１２３とを備えた案内レール１２１が設けられ、その案内レール１２１の内側に遊技領域１２４が区画形成されている。
遊技盤１２０には、その遊技領域１２４内において、遊技に関する役物装置、例えば、センタ役物と呼ばれる役物装置１４０、図柄表示装置１４５、入賞装置等の役物装置や風車器、誘導釘、ランプ装飾部材等の各種の装備品が配設されている。これら各種の装備品のうち、所定の装備品の後部、この実施例では、役物装置１４０の役物本体１４１の後部が遊技盤１２０の後側に突出して配設される。
また、遊技盤１２０の前面には、その案内レール１２１の外側領域において、合成樹脂製の前構成部材１２０ａが装着されている。
【００３０】
この実施例において、役物装置１４０の役物本体１４１には、略中央部に開口窓が形成され、図柄表示装置（例えば、液晶表示器、ＥＬ表示器，プラズマ表示器，ＣＲＴ等）１４５の表示面は役物本体１４１の後側においてその開口窓に臨んで装着されている。
そして、役物本体１４１は、遊技盤１２０の中央部に貫設された組付孔に嵌込まれ、同役物本体１４１の後部及び図柄表示装置１４５の図柄制御基板１４６を有する図柄制御基板ボックス１４６は遊技盤１２０の後側に突出して配設されている（図５参照）。
【００３１】
また、図７と図８に示すように、遊技盤１２０前面の前構成部材１２０ａにおける他側寄りの上下２箇所には、本体枠３０の嵌込み枠部１０２の係止部１０６（図８参照）に対応する位置に、ロック部材１３０がピンと左右方向の長孔によって回動操作可能に装着されている。
遊技盤１２０（前構成部材１２０ａを含む）を遊技盤装着枠１００に装着する場合には、先ず、その遊技盤１２０の左側端部を遊技盤装着枠１００の後面受け部１０３と前面押え部１０４との間に差し込む。次に、差し込まれた遊技盤１２０の左側端部を中心に、その遊技盤１２０を後方に押しながら回動させる。そして、遊技盤１２０の裏面周縁が遊技盤装着枠１００の後面受け部１０３に当接するまで、その遊技盤１２０を遊技盤装着枠１００の嵌込み枠部１０２に嵌め込むようにする。次に、この状態で、遊技盤１２０のロック部材１３０を嵌込み枠部１０２の係止部１０６と係合させることで、遊技盤１２０が遊技盤装着枠１００に装着されるようになる（図１参照）。
【００３２】
図３と図１２に示すように、遊技盤１２０の後側下部には、その中央部から下部にわたる部分において、各種入賞装置に流入した球を受け、かつその球を所定位置まで導く集合樋としての機能と、ボックス装着部としての機能を兼ね備えたボックス装着台が設けられている。このボックス装着台には、音声制御基板、ランプ制御基板等の副制御基板１５６が収納された副制御基板ボックス１５５と、主制御基板１５２が収納された主制御基板ボックス１５１とが前後に重ね合わされた状態で装着されている。
さらに、遊技盤１２０は、その遊技盤１２０の後側にボックス装着台、副制御基板ボックス１５５及び主制御基板ボックス１５１がそれぞれ装着された状態で、前述のように本体枠３０の遊技盤装着枠１００に対して前方から装着可能なように構成されている。即ち、遊技盤１２０の後側に取付けられたボックス装着台、副制御基板ボックス１５５及び主制御基板ボックス１５１は、その遊技盤１２０の外郭より外側にはみ出さないように配置されている。
【００３３】
また、遊技盤１２０の後側の他側寄り下部には、遊技盤装着枠１００の前方からその嵌込み枠部１０２内に遊技盤１２０を嵌込む動作によって、本体枠３０側の第１、第２コネクタ１１１、１１２に挿脱可能に接続される第１、第２コネクタ１２５、１２６が設置されている（図７及び図８参照）。なお、本体枠３０側の第１、第２コネクタ１１１、１１２と遊技盤１２０側の第１、第２コネクタ１２５、１２６との具体的な構成については後述する。
【００３４】
［本体枠の機構装着体について］
図１０と図１１に示すように、本体枠３０の機構装着体１６０には、タンク装着部１６１、レール装着部１７０、払出装置装着部２００等がそれぞれ形成されている。
即ち、機構装着体１６０の上部には、中段部３２の上部後壁部３２ａと、後段部３３の外周壁の上向き面３３ａにわたってタンク装着部１６１が形成されている。
また、タンク装着部１６１の前側壁（即ち、中段部３２の上部後壁部３２ａ）には、次に述べる球タンク１６５の両取付部１６６が上方から差し込み可能な差込溝を有する左右一対の支持片１６１ａと、球タンク１６５の係止孔に係合可能な係止片１６１ｂとがそれぞれ形成されている。
また、タンク装着部１６１の底部（後段部３３の外周壁の上向き面３３ａ）には、球タンク１６５の下部を受けるタンク受け部１６２が形成されている。
この実施例では、後段部３３の外周壁の上向き面３３ａの後端部分をタンク受け部１６２とし、そのタンク受け部１６２によって球タンク１６５の底板部１６７の下面後端部が支承可能となっている（図５参照）。
【００３５】
［球タンクについて］
球タンク１６５は、透明な合成樹脂材よりなり、島設備から供給される多数の球が貯留可能な上方に開口する箱形状に形成されている。そして、球タンク１６５の球の貯留状態が球タンク１６５の後側壁を透して視認可能となっている。
図１０に示すように、球タンク１６５の前側の左右両端部には取付部１６６が突出されている。また、球タンク１６５の前側壁にはタンク装着部１６１の係止片１６１ｂの上方から掛け止め可能な係止孔が貫設されている。
また、球タンク１６５の底板部１６７の後側隅部には球を放出する放出口１６８が形成されるとともに、底板部１６７は、放出口１６８に向けて下傾する傾斜面に形成されている。
そして、球タンク１６５は、その取付部１６６がタンク装着部１６１の左右一対の支持片１６１ａの差込溝の上方から差し込まれ、係止孔に係止片１６１ｂが係合することによって、タンク装着部１６１に装着されるようになっている。
この球タンク１６５の装着状態において、球タンク１６５の底板部１６７の下面後端部がタンク受け部１６２によって支承される（図５参照）。
【００３６】
［タンクレールについて］
図１０と図１１に示すように、本体枠３０の機構装着体１６０には、そのタンク装着部１６１に下方に接近してレール装着部１７０が一体に形成され、そのレール装着部１７０にレール構成部材１７６が装着されることでタンクレール１７１が構成されるようになっている。
即ち、この実施例において、レール装着部１７０は、本体枠３０の後段部３３の上部横方向部分が所定深さ凹まされた状態で形成されており、その凹部の奥側壁をタンクレール１７１の前壁部１７２とし、その凹部の下縁部に沿って一端（図１１に向かって左端）から他端（図１１に向かって右端）に向けて下傾する傾斜状のレール棚１７４が形成されている。そして、レール棚１７４の横方向に延びる上向き面をレール受け部１７３としている。
【００３７】
図５と図１０に示すように、レール装着部１７０に装着されてタンクレール１７１を構成するレール構成部材１７６は、レール装着部１７０の前壁部１７２との間にレール通路を構成する後壁部１７７と、傾斜状をなす下板部１７８と、その下板部１７８の上面の前後方向中央部に沿って突設されレール通路を前後２列に区画する仕切り壁１７９とを一体に備えて形成されている。このレール構成部材１７６は、レール装着部１７０に対し適宜の取付手段によって装着され、これによって、前後２列のレール通路を備えたタンクレール１７１が構成されるようになっている。
そして、球タンク１６５の放出口１６８から放出（自重によって落下）された球がタンクレール１７１の前後２列のレール通路の一端部においてそれぞれ受けられた後、球が自重によってレール通路に沿って転動することでレール通路の他端部に向けて流れるようになっている。
また、この実施例において、レール構成部材１７６は、透明な合成樹脂材より形成され、これによって、レール通路内の球の流れ状態が、レール構成部材１７６の後壁部１７７を透して視認可能となっている。
【００３８】
図５に示すように、タンクレール１７１（レール装着部１７０）の前壁部１７２は、遊技盤１２０の後側に突出する装備品、例えば、役物装置１４０の役物本体１４１の後部の上端部との干渉を避けるための第１空間部Ｓ１を隔てた状態で設けられている。
また、この実施例において、図５に示すように、本体枠３０の後段部３３の後端部をなるレール棚１７４の後端と、タンクレール１７１の後壁部１７７は、球タンク１６５の後側壁と略同一面をなしている。
言い換えると、球タンク１６５の後壁部１６９に対しタンクレール１７１の後壁部１７７が略同一面となる位置まで、タンクレール１７１が遊技盤１２０の後面より後方に離隔して配置されている。これによって、遊技盤１２０の後側とタンクレール１７１の前壁部１７２との間に役物装置１４０の役物本体１４１の後部との干渉を避けるための第１空間部Ｓ１が設けられるようになっている。
【００３９】
また、図１０に示すように、レール装着部１７０の上方には、レール通路を流れる球が上下に重なることなく整列させる整流体１９０がその上部において軸１９１を中心として揺動可能に装着されている。この整流体１９０には、その中央部から下部において錘が設けられている。
【００４０】
［球払出装置について］
図１０と図１１に示すように、本体枠３０の機構装着体１６０の片側（図に向かって右側）寄りの上下方向には、次に述べる球払出装置２１０に対応する縦長の払出装置装着部２００が形成されている。
図６と図１１に示すように、払出装置装着部２００は、後方に開口部をもつ凹状に形成されている。また、払出装置装着部２００の段差状をなす奥壁部（前壁部）２０４の所定位置には、球払出装置２１０の払出用モータ２２０が突出可能な開口部２０５が形成されている。
図３と図６に示すように、球払出装置２１０は、その装置本体２１１が払出装置装着部２００の凹部と略同じ大きさの縦長のボックス形状をなし、その装置本体２１１に払い出しに関する各種部品が装着されることでユニット化されている。そして、球払出装置２１０は、その装置本体２１１において、払出装置装着部２００の凹部の後方開口部から嵌込まれて適宜の取付手段（例えば、弾性クリップ、係止爪、ビス等の取付手段）によって装着されるようになっている。
【００４１】
この実施例において、球払出装置２１０の装置本体（ユニット本体）２１１は、前ベース体２１１ａ、中間構成部材２１１ｂ及び後カバー体２１１ｃを備え、これら各構成部材によってタンクレール１７１の前後のレール通路の出口にそれぞれ連通する流入口を有する球通路が形成されている。
また、装置本体２１１には、その内部に形成された前後２列の球通路の下流部が二股状に分岐されて前後２列の賞球及び貸球用通路と球抜き用通路とがそれぞれ形成されている。そして賞球及び貸球用球通路と球抜き用球通路との分岐部には、球を賞球及び貸球用球通路と球抜き用球通路とのいずれかに振り分けて払い出すための回転体よりなる払出部材２１５が正逆回転可能にかつ払出用モータ２２０を駆動源として配設されている。そして、払出用モータ２２０の正回転時には、これに基づいて正回転する払出部材２１５によって球が賞球及び貸球用球通路に払い出される。また、払出制御基板ボックス６８に収納された払出制御基板６９上に配置された図示しない球抜きスイッチを操作することで、払出用モータ２２０が逆回転し、これに基づいて逆回転する払出部材２１５によって球が球抜き通路（図示しない）に排出されるようになっている。
また、球払出装置２１０の装置本体２１１の少なくとも後カバー体２１１ｃ（この実施例において、中間構成部材２１１ｂ及び後カバー体２１１ｃ）は、透明な合成樹脂材により形成され、これによって、装置本体２１１の球通路内の球の流れ状態が後カバー体２１１ｃ及び中間構成部材２１１ｂを透して視認可能となっている。
【００４２】
図６に示すように、払出装置装着部２００の凹部に球払出装置２１０がその装置本体２１１において装着された状態において、装置本体２１１と遊技盤１２０との間（奥壁部２０４と遊技盤１２０後側との間）には、第１空間部Ｓ１と前後方向に略同一レベルにおいて第２空間部Ｓ２が設けられている。これによって、レール通路と球通路とが前後方向に略同一レベルで配置されている。
また、本体枠３０の後段部３３の後端（即ち、払出装置装着部２００の周壁部後端２００ａ、レール棚１７４の後端１７４ａ）、球タンク１６５、タンクレール１７１及び球払出装置２１０の装置本体２１１のそれぞれの後面は略同一面をなしている（図１０参照）。
【００４３】
また、この実施例において、図６と図７に示すように、装置本体２１１のベース体の前側には、回転体を正逆方向に回転駆動するための払出用モータ２２０が取付板２２１を間に挟んで装着されている。これによって払出用モータ２２０は払出装置装着部２００の奥壁部２０４の開口部２０５を通して第２空間部Ｓ２内に突出している。
また、払出用モータ２２０の取付板２２１の左右両側部には同払出用モータ２２０の両側方に沿って側壁部２２３が形成されている。そして、これら両側壁部２２３によって払出用モータ２２０が保護されるとともに、同払出用モータ２２０の熱が取付板２２１の両側壁部２２３に伝導されて放熱され、これによって払出用モータ２２０の過熱による損傷を防止するようになっている。
【００４４】
［外部端子基板と分電基板の配置について］
図１０と図１１に示すように、機構装着体１６０の上部の片側（ヒンジ寄り側）には、第１基板装着部２３０と第２基板装着部２３５とが段差状をなして形成され、下段の第１基板装着部２３０には外部端子基板２３１が装着され、上段の第２基板装着部２３５には分電基板２３６が基板ケース２３７に覆われた状態で装着されている。
【００４５】
［後カバー体について］
図３、図５及び図１２に示すように、遊技盤１２０後面に配置された図柄制御基板ボックス１４６及び主制御基板ボックス１５１の後端部は機構装着体１６０の中央部に開口された窓開口部に向けて突出している。そして、機構装着体１６０の窓開口部の一側壁を構成する側壁部と他側壁を構成する払出装置装着部２００の片側壁との間には、後カバー体２５０がその一側を支点として開閉可能に装着されている。
そして、遊技盤１２０後面の図柄制御基板ボックス１４６全体及び主制御基板ボックス１５１の上部が後カバー体２５０によって覆われるようになっている。
【００４６】
［本体枠側と遊技盤側とのコネクタ接続及び各スイッチの接続構成について］
本体枠側の回路基板及び各スイッチと遊技盤側の各回路基板の接続をブロック図で表した図１５に基づいて説明する。
先ず、本体枠３０側においては、交流電源ＡＣ（ＡＣ２４Ｖ）から供給された交流電力が、分電基板２３６、電源スイッチＳ１を経て電源基板６７に供給され、ここでＤＣ１２Ｖの直流電力とＤＣ３４Ｖの直流電力に変換された後、払出制御基板６９に供給される。また、ＤＣ１２Ｖの直流電力とＤＣ３４Ｖの直流電力は、払出制御基板６９を介して遊技盤１２０の主制御基板１５２に供給される。
払出制御基板６９は、球（遊技媒体）を払い出す数を記憶可能なＲＡＭ６９ａを備えており、そのＲＡＭ６９ａによって遊技盤１２０の主制御基板１５２から払出制御基板６９に送信された払出用信号が記憶される。払出制御基板６９のＣＰＵ（図示省略）は、前記ＲＡＭ６９ａに記憶された払出用信号に従って、球を払い出す制御（払出用モータ２２０の作動制御）を行えるように構成されている。
また、交流電源ＡＣから供給された交流電力は、分電基板２３６によってインタフェース基板２４０にも分配供給される。
インタフェース基板２４０は、球貸機２５０と払出制御基板６９との間に介在されており、球貸に関する信号を球貸機２５０と払出制御基板６９との間で送受信可能に構成されている。
【００４７】
遊技盤１２０側に配置された主制御基板１５２は、通常遊技状態又は大当たり遊技状態、低確率状態又は高確率状態等の遊技状態を記憶したり、遊技盤１２０の遊技領域１２４（図７参照）内の入賞口等に設けられた各種センサ（図示省略）からの信号（制御情報）等を記憶するためのＲＡＭ１５２ａを備えている。そして、前記ＲＡＭ１５２ａに記憶された情報に基づいて、主制御基板１５２のＣＰＵ（図示省略）は遊技の進行を制御する。主制御基板１５２から出力された制御信号は、副制御基板１５６に入力され、副制御基板１５６のＣＰＵは主制御基板１５２からの制御信号に基づいて周辺機器を制御する。即ち、主制御基板１５２からの遊技に関する信号を受けた副制御基板１５６は、図柄制御基板１４６に対して遊技用信号を出力する。図柄制御基板１４６のＣＰＵは、前記遊技用信号を表示用信号に変換して図柄表示装置１４５に伝達する。図柄表示装置（液晶表示器、ＥＬ表示器，プラズマ表示器，ＣＲＴ等）１４５には、大当たりの抽選図柄が変動表示可能となっている。なお、副制御基板１５６等には、主制御基板１５２から直流電力が供給される。
また、主制御基板１５２から出力された制御信号（払出用信号）は、前述のように、払出制御基板６９に入力され、払出制御基板６９のＣＰＵはその払出用信号に従って球の払い出し制御を行う。
【００４８】
遊技盤１２０側の主制御基板１５２と本体枠３０側の払出制御基板６９とは、遊技盤１２０を本体枠３０の遊技盤装着枠１００に嵌込む際に、図１５に示すように、遊技盤１２０側の第１コネクタ１２５に対して本体枠３０側の第１コネクタ１１１が差し込まれることにより電気的に接続される。
本体枠３０側の第１コネクタ１１１は、図１７に示すように、縦長箱形状のコネクタガイド１１１ｍを備えており、そのコネクタガイド１１１ｍ内に各種の信号線に対応する複数の信号線用雄型端子１１１ｓが設けられている。また、コネクタガイド１１１ｍ内には、信号線用雄型端子１１１ｓの下方にＤＣ３４Ｖ用、ＤＣ１２Ｖ用の電源線用雄型プラス端子１１１ａ，１１１ｂと電源線用雄型グランド端子１１１ｘ，１１１ｙが設けられている。ここで、電源線用雄型グランド端子１１１ｘ，１１１ｙは電源線用雄型プラス端子１１１ａ，１１１ｂよりも、一定寸法Ｌだけ長く形成されている（図１８参照）。
これに対し、遊技盤１２０側の第１コネクタ１２５のコネクタガイド１２５ｍは、図１７に示すように、本体枠３０の第１コネクタ１１１におけるコネクタガイド１１１ｍの外側に嵌込まれる大きさの縦長箱形状に形成されている。そして、第１コネクタ１２５のコネクタガイド１２５ｍ内に、第１コネクタ１１１の信号線用雄型端子１１１ｓに対応する信号線用雌型端子１２５ｗが設けられている。さらに、第１コネクタ１２５のコネクタガイド１２５ｍ内には、第１コネクタ１１１の電源線用雄型プラス端子１１１ａ，１１１ｂに対応する電源線用雌型プラス端子１２５ａ，１２５ｂと、電源線用雄型グランド端子１１１ｘ，１１１ｙに対応する電源線用雌型グランド端子１２５ｘ，１２５ｙとが設けられている（図１８参照）。なお、図１８は、遊技盤１２０側の第１、第２コネクタ１２５，１２６と本体枠３０側の第１、第２コネクタ１１１，１１２とが接続される前の状態を表す平断面図である。
【００４９】
また、遊技盤１２０側の副制御基板１５６と本体枠３０側のスピーカ５７とは、同じく遊技盤１２０を本体枠３０の遊技盤装着枠１００に嵌込む際に、図１５に示すように、遊技盤１２０側の第２コネクタ１２６に対して本体枠３０側の第２コネクタ１１２が差し込まれることにより電気的に接続される。
本体枠３０側の第２コネクタ１１２は、縦長箱形状のコネクタガイド１１２ｍを備えており（図１８参照）、そのコネクタガイド１１２ｍ内に各種の信号線に対応する複数の信号線用雄型端子（図示省略）が設けられている。また、コネクタガイド１１２ｍ内には、信号線用雄型端子の下方にＤＣ１２Ｖ用の電源線用雄型プラス端子１１２ａと電源線用雄型グランド端子１１２ｘが設けられている。ここで、電源線用雄型グランド端子１１２ｘは電源線用雄型プラス端子１１２ａよりも、一定寸法Ｌだけ長く形成されている。
これに対し、遊技盤１２０側の第２コネクタ１２６のコネクタガイド１２６ｍは、本体枠３０の第２コネクタ１１２におけるコネクタガイド１１２ｍの外側に嵌込まれる大きさの縦長箱形状に形成されている。そして、第２コネクタ１２６のコネクタガイド１２６ｍ内に、第２コネクタ１１２の信号線用雄型端子に対応する信号線用雌型端子（図示省略）が設けられている。さらに、第２コネクタ１２６のコネクタガイド１２６ｍ内には、第２コネクタ１１２の電源線用雄型プラス端子１１２ａに対応する電源線用雌型プラス端子１２６ａと、電源線用雄型グランド端子１１２ｘに対応する電源線用雌型グランド端子１２６ｘとが設けられている。
【００５０】
上記した本体枠３０の第１コネクタ１１１と遊技盤１２０の第１コネクタ１２５、及び本体枠３０の第２コネクタ１１２と遊技盤１２０の第２コネクタ１２６とは、遊技盤１２０を本体枠３０の遊技盤装着枠１００に嵌込む動作により接続される。即ち、遊技盤１２０の左側端部を遊技盤装着枠１００の後面受け部１０３と前面押え部１０４（図７参照）との間に差し込み、その差し込まれた左側端部を中心にして遊技盤１２０を後方に押しながら回動させる動作により、第１コネクタ１１１，１２５及び第２コネクタ１１２，１２６は挿入接続される。
また、本体枠３０の第１コネクタ１１１及び第２コネクタ１１２の電源線用雄型グランド端子１１１ｘ，１１１ｙ，１１２ｘは電源線用雄型プラス端子１１１ａ，１１１ｂ，１１２ａよりも、一定寸法Ｌだけ長く形成されている。このため、第１コネクタ１１１，１２５と第２コネクタ１１２，１２６とを接続する際に、それぞれのグランド線（アース線）が電源線よりも先に接続されるようになる。このため、仮にパチンコ機の電源がＯＮの状態で遊技盤１２０を交換等しても、回路基板上の電子部品に対して設計経路とは異なる経路で電流が流れるような不具合を回避できる。
即ち、遊技盤１２０側の第１、第２コネクタ１２５、１２６が本発明の遊技盤の裏側コネクタに相当し、本体枠３０側の第１、第２コネクタ１１１、１１２が本発明の本体枠の枠側コネクタに相当する。また、遊技盤１２０側の主制御基板１５２が本発明の第１遊技制御手段に相当し、本体枠３０側の払出制御基板６９が本発明の第２遊技制御手段に相当する。さらに、主制御基板１５２のＲＡＭ１５２ａと払出制御基板６９のＲＡＭ６９ａとが本発明の記憶部に相当する。
【００５１】
［ＲＡＭ消去スイッチについて］
ＲＡＭ消去スイッチＳ２は、営業開始時あるいは営業中に、電源スイッチＳ１をＯＮしてパチンコ機を起動（あるいは再起動）する際、主制御基板１５２のＲＡＭ１５６ａに記憶された遊技データと、払出制御基板６９のＲＡＭ６９ａに記憶された遊技データ（払出用データ）とを消去（初期化）するためのスイッチである。ＲＡＭ消去スイッチＳ２は、図２０に示すように、押されている間（ＯＮ状態）だけ消去信号を出力可能な構成であり、払出制御基板６９側から電源（ＤＣ１２Ｖ）の供給を受けている。
ＲＡＭ消去スイッチＳ２の消去信号は、払出制御基板６９から第１コネクタ１１１，１２５を経由して主制御基板１５２のトランジスタ回路Ｔｒ２に入力され、そのトランジスタ回路Ｔｒ２を介してＣＰＵに入力される。また、ＲＡＭ消去スイッチＳ２の消去信号は、払出制御基板６９のトランジスタ回路Ｔｒ１に入力され、そのトランジスタ回路Ｔｒ１を介してＣＰＵに入力される（図２０参照）。払出制御基板６９と主制御基板１５２との間には、ＲＡＭ消去スイッチＳ２の消去信号用に専用の配線Ｓ３が設けられており、第１コネクタ１１１，１２５には配線Ｓ３が接続される専用の端子が設けられている。即ち、第１コネクタ１１１，１２５の信号線用雄型端子１１１ｓ及び信号線用雌型端子１２５ｗの内の一組が、ＲＡＭ消去スイッチＳ２の消去信号用の専用端子として使用されている。
ＲＡＭ消去スイッチＳ２は、直列に接続された抵抗Ｒ０と共に、ＤＣ１２Ｖの電圧端子とアース端子との間に接続されている。そして、ＲＡＭ消去スイッチＳ２と抵抗Ｒ０との接続部Ｅ１がトランジスタ回路Ｔｒ１とトランジスタ回路Ｔｒ２のベース端子（入力端子）に接続されている。このため、ＲＡＭ消去スイッチＳ２が押されると（ＯＮ操作）、払出制御基板６９側のトランジスタＴｒ１及び主制御基板１５２側のトランジスタＴｒ２の入力電圧（接続部Ｅ１の電圧）が零になり、トランジスタＴｒ１及びトランジスタＴｒ２の出力は「１（一定電圧＝ＤＣ５Ｖ）」となる。このため、主制御基板１５２のＣＰＵと払出制御基板６９のＣＰＵには「１（一定電圧＝ＤＣ５Ｖ）」が入力される。
一方、ＲＡＭ消去スイッチＳ２が押されない状態では、払出制御基板６９側のトランジスタＴｒ１及び主制御基板１５２側のトランジスタＴｒ２の入力電圧がＤＣ１２Ｖになり、トランジスタＴｒ１及びトランジスタＴｒ２の出力は「０（零Ｖ）」となる。このため、主制御基板１５２のＣＰＵと払出制御基板６９のＣＰＵには「０（零Ｖ）」が入力される。
上記したように、ＲＡＭ消去スイッチＳ２の信号経路のうちで、主制御基板１５２と払出制御基板６９との間の信号経路を構成する配線Ｓ３により伝送される消去信号をＤＣ１２ＶのＯＮ―ＯＦＦ信号として、基板６９，１５２上の制御信号（ＤＣ５Ｖ）よりも十分高く設定することにより、その配線Ｓ３に及ぶ静電気等によるノイズの影響を受け難くなる。
即ち、ＲＡＭ消去スイッチＳ２が本発明の消去スイッチに相当する。
【００５２】
次に、ＲＡＭ消去スイッチＳ２によって、主制御基板１５２のＲＡＭ１５２ａの遊技データを消去する手順を、図１９のフローチャートに基づいて説明する。ここで、図１９に示す処理は、主制御基板１５２のＣＰＵによってＲＯＭ（図示省略）に格納されたプログラムに基づいて実行される。
主制御基板１５２では、図１９に示すように、パチンコ機の電源スイッチＳ１がＯＮ操作されると、ＣＰＵの初期化処理（ステップＳ１０１）が実行された後、ＲＡＭ消去スイッチＳ２がＯＮ操作されたか否かが判定される（ステップＳ１０２）。ＲＡＭ消去スイッチＳ２がＯＮ操作されると（ステップＳ１０２  ＹＥＳ）、ＲＡＭ消去信号（以下、消去信号という）が記憶される（ステップＳ１０３）。このため、ＲＡＭ消去スイッチＳ２がＯＮ操作された時間が短い場合でも希望するタイミングで確実に消去信号を受信できるようになる。次に、消去信号が入力されたタイミングを時間Ｔ＝０とし、このタイミングから時間Ｔ０（Ｔ０＝約２秒）までの間、時間がカウントされる（ステップＳ１０４〜ステップＳ１０６）。これによって、時間Ｔ０が経過するまで処理待ち状態となる。これは、電源投入後、電装機器が電気的に安定するまで、消去信号が入力されたか否かの判定を行わないようにするための処置である。
【００５３】
このようにして時間Ｔ０が経過すると、前記消去信号が入力されたか否かが判定される（ステップＳ１０７）。ＲＡＭ消去スイッチＳ２がＯＮ操作されて、ステップＳ１０３で消去信号が記憶されているため、ステップＳ１０７の判定はＹＥＳとなる。この場合、主制御基板１５２のＲＡＭ１５２ａに記憶されている遊技データが消去される（ステップS１１０）。遊技データの消去は、ＲＡＭ１５２ａの該当個所を全て「０」に置き換えることにより行う。次に、ステップＳ１１１でＲＡＭ１５２ａの該当個所が全て「０」に置き換わったか否かが判定される。遊技データが消去されると（ステップＳ１１１  ＹＥＳ）、図柄表示装置１４５の表示画面にＲＡＭ１５２ａの遊技データが消去された旨の表示が文字で表されるとともに、その時間も明記される（ステップＳ１１２）。このとき、スピーカ５７からクリア音を発生させて遊技データが消去されたことを報知することも可能である。また、役物装置１４０のランプ等を点灯させることも可能である。
このようにして、ＲＡＭ消去表示が行われると、ステップＳ１０３で記憶されることにより、現時点まで保持されたＲＡＭ消去スイッチＳ２の消去信号がクリアされる（ステップＳ１１３）。即ち、ステップＳ１０３とステップＳ１１３との処理を行う部分が本発明の消去信号の保持手段に相当する。
次に、主制御基板１５２のＣＰＵで通常どおりメイン処理が実行される（ステップＳ１１４）。また、ステップＳ１１１の判定がＮＯの場合には、ステップＳ１１０で再度ＲＡＭ１５２ａに記憶されている遊技データが消去される。
【００５４】
次に、停電により電源が遮断された後、自動的に電源が投入された場合の動作を説明する。この場合、ＲＡＭ消去スイッチＳ２は操作されていないため（ステップＳ１０２  ＮＯ）、処理はステップＳ１０９に進み、ここでＲＡＭ１５２ａに異常があるか否かが判定される。ＲＡＭ１５２ａに異常がない場合には（ステップＳ１０９  ＮＯ）、停電前の遊技データに基づいてメイン処理が実行される（ステップＳ１１４）。また、ＲＡＭ１５２ａに異常がある場合には（ステップＳ１０９  ＹＥＳ）、ステップＳ１１０で、ＲＡＭ１５２ａの遊技データが消去され、ステップＳ１１１で遊技データの消去がチェックされる。そして、上記したように図柄表示装置１４５の表示画面にＲＡＭ１５２ａの遊技データが消去されたことが表示される（ステップＳ１１２）。
なお、遊技中は、メイン処理（ステップＳ１１４）が継続して実行されているため、仮に、ＲＡＭ消去スイッチＳ２が不正に操作されても、消去信号が受付けられず、ＲＡＭ１５２ａの遊技データが消去されることはない。
【００５５】
ＲＡＭ消去スイッチＳ２によって、払出し制御基板６９のＲＡＭ６９ａの遊技データを消去する手順も、上記した図１９のフローチャートに示す手順と同様である。なお、遊技データを消去する処理は、払出し制御基板６９のＣＰＵによってＲＯＭ（図示省略）に格納されたプログラムに基づいて実行される。
以上、説明したように、図１９のステップＳ１１０のＲＡＭ消去処理を行う部分が本発明の消去手段に相当し、図１９のステップＳ１１１のチェック処理を行う部分が本発明のチェック手段に相当する。また、図１９のステップＳ１１１（チェック処理）からステップＳ１１０（ＲＡＭ消去）まで戻る処理を行う部分が本発明の再消去手段に相当する。さらに、図柄表示装置１４５が本発明の表示手段に相当する。
【００５６】
［電源スイッチ及びＲＡＭ消去スイッチの配置について］
図８に示すように、本体枠３０の前側には、ガラス扉８０を開放することで本体枠３０の前側から操作可能な電源スイッチＳ１とＲＡＭ消去スイッチＳ２とが配置されている。
この実施例において、本体枠３０の前枠体３５前面の下部領域内の上側部分に形成された発射レール装着部４１の片側（ガラス扉８０の自由端側に対応する側）において電源スイッチＳ１とＲＡＭ消去スイッチＳ２とが上下に隣接して配置されている。
このため、電源スイッチＳ１及びＲＡＭ消去スイッチＳ２を操作する場合には、ガラス扉８０を開放することによって容易に操作することができ、使い勝手の向上を図ることができる。
また、本体枠３０前側において、ガラス扉８０の自由端側に対応する側に電源スイッチＳ１とＲＡＭ消去スイッチＳ２とが配置されることでガラス扉８０を小さい開き角度においても容易に操作することができる。
また、電源スイッチＳ１とＲＡＭ消去スイッチＳ２とが接近して配置されることによって、これら電源スイッチＳ１とＲＡＭ消去スイッチＳ２とを共に操作する必要がある場合には各操作を簡便に行うことができる。
さらに、電源スイッチＳ１とＲＡＭ消去スイッチＳ２とは、本体枠３０側の第１、第２コネクタ１１１，１１２及び遊技盤１２０側の第１、第２コネクタ１２５、第２コネクタ１２６と、本体枠３０の幅方向において同じ側に配置されている。このため、スイッチ類とコネクタ類との配線をまとめて布設することが可能になり、遊技機の裏側で配線が乱雑になるのを防止できる。
【００５７】
また、図１、図２、図８及び図１６に示すように、本体枠３０とガラス扉８０との対向面のうち、少なくとも一方の部材の対向面には、電源スイッチＳ１及びＲＡＭ消去スイッチＳ２の外周を取り囲むようにして囲い壁２６０（又は２６１）が突設される一方、他方の部材の対向面には、囲い壁２６０（又は２６１）の開口部を覆蓋する蓋部２６５（又は２６６）が形成されている。
この実施例において、図１６に示すように、本体枠３０の前面及びガラス扉８０の後面に、電源スイッチＳ１及びＲＡＭ消去スイッチＳ２の外周を取り囲むようにして略環状をなす囲い壁２６０、２６１がそれぞれ突設されている。
また、この実施例において、本体枠３０の囲い壁２６０はガラス扉８０の囲い壁２６１の外周に嵌合する大きさに形成されている。そして、ガラス扉８０の囲い壁２６１の開口部を塞ぐ蓋部２６６が本体枠３０の前面の一部によって形成されている。
【００５８】
前記構成において、図１６に示すように、ガラス扉８０が閉じられることで、電源スイッチＳ１及びＲＡＭ消去スイッチＳ２が囲い壁２６０、２６１及び蓋部２６５によって収納される。このため、本体枠３０とガラス扉８０との僅かな隙間から異物が侵入され、電源スイッチＳ１あるいはＲＡＭ消去スイッチＳ２が不正操作される不正行為を未然に防止することができる。
また、この実施例において、本体枠３０の囲い壁２６０とガラス扉８０の囲い壁２６１とが相互に嵌合して電源スイッチＳ１及びＲＡＭ消去スイッチＳ２が二重に覆われるため、異物の侵入防止に効果が大きい。
また、ガラス扉８０が開かれることで、本体枠３０の前面に電源スイッチＳ１及びＲＡＭ消去スイッチＳ２が操作可能に露出する。
このため、本体枠３０の前面に、電源スイッチＳ１及びＲＡＭ消去スイッチＳ２を収納するための専用の収納ケースを製作して開閉可能に装着する手間を省くことができ、使い勝手に優れるという効果もある。
ここで、前記囲い壁２６１、及びその囲い壁２６１の開口部を塞ぐ蓋部２６５を、例えば、鉄等の金属で形成することにより、熱でその囲い壁２６１を溶かしてＲＡＭ消去スイッチＳ２等を操作するような不正行為を未然に防止できる。
即ち、前記囲い壁２６０、２６１及び蓋部２６５が本発明の収納ケースに相当する。
【００５９】
［この実施例に係る遊技機の作用効果について］
上記したように本実施形態に係るパチンコ機によると、遊技盤１２０を本体枠３０の遊技盤装着枠１００に対して前方から嵌込み可能な構成のため、外枠１０に対して本体枠３０を閉じた状態で遊技盤１２０をその本体枠３０に装着できるようになる。さらに、遊技盤１２０が本体枠３０の遊技盤装着枠１００に対して嵌込まれる動作により、その遊技盤１２０の裏側コネクタ（第１、第２コネクタ１２５，１２６）と本体枠３０の枠側コネクタ（第１、第２コネクタ１１１，１１２）とが自動的に接続されるため、本体枠３０を閉じた状態で裏側コネクタ１２５，１２６と枠側コネクタ１１１，１１２とを接続できるようになる。したがって、本体枠３０を開かないで遊技盤１２０の交換を行えるようになり、遊技盤１２０の交換作業が容易になる。
また、パチンコ機の電源スイッチＳ１とＲＡＭ消去スイッチＳ２とが本体枠３０の前面に設けられているため、ガラス扉８０を開くことでその電源スイッチＳ１及びＲＡＭ消去スイッチＳ２を操作できるようになる。このため、従来のように、パチンコ機を起動する際に、重量の大きな本体枠３０を開いてその側面に位置する電源スイッチ及び消去スイッチを操作する必要がなくなり、電源スイッチＳ１及びＲＡＭ消去スイッチＳ２の操作性が向上する。
【００６０】
また、ＲＡＭ消去スイッチＳ２の消去信号が本体枠３０の払出制御基板６９を介して遊技盤１２０の主制御基板１５２に入力される構成である。このため、本体枠３０の前面に設けられたＲＡＭ消去スイッチＳ２と払出制御基板６９との間で電気配線を行えば良く、そのＲＡＭ消去スイッチＳ２と遊技盤１２０の主制御基板１５２との間の電気配線が不要になる。このため、配線作業が複雑化せず容易になる。
さらに、遊技盤１２０の裏側コネクタ（第１コネクタ１２５）の端子が接続される本体枠３０の枠側コネクタ（第１コネクタ１１１）の端子には、消去スイッチＳ２の消去信号をその遊技盤１２０の主制御基板１５２に入力するための専用端子が設けられている。また、遊技盤１２０の主制御基板１５２と本体枠３０の払出制御基板６９との間には、ＲＡＭ消去スイッチＳ２の消去信号用として専用の配線Ｓ３が設けられている。このため、消去スイッチＳ２の消去信号をアナログ信号のままで遊技盤１２０の主制御基板１５２と本体枠３０の払出制御基板６９とに入力することが可能になる。したがって、アナログ信号をディジタル信号に変換した後、データとして主制御基板１５２と払出制御基板６９間で伝送する場合と比較して、変換器を介さない分だけ信頼性が向上する。
また、本体枠３０の枠側コネクタ１１１，１１２と遊技盤１２０の裏側コネクタ１２５，１２６とは、その本体枠３０の幅方向における一端側に配置されており、電源スイッチＳ１とＲＡＭ消去スイッチＳ２とは、本体枠３０の幅方向において、枠側コネクタ１１１，１１２及び裏側コネクタ１２５，１２６と同じ側に配置されている。このため、例えば、遊技盤１２０の取付け前に、電源スイッチＳ１あるいはＲＡＭ消去スイッチＳ２を操作しながら本体枠３０側の第１、第２コネクタ１１１，１１２の信号チェック、電圧チェック等を実施する場合に、操作性が向上する。
【００６１】
また、電源スイッチＳ１及びＲＡＭ消去スイッチＳ２は、ガラス扉８０の回動自由端側に配置されているため、ガラス扉８０を少し開くだけで電源スイッチＳ１とＲＡＭ消去スイッチＳ２とを操作可能になり、操作性が向上する。
さらに、ＲＡＭ消去スイッチＳ２は、ＯＮ操作されている間だけ主制御基板１５２及び払出制御基板６９に対して消去信号を出力可能な構成である。また、主制御基板１５２及び払出制御基板６９には、ＲＡＭ消去スイッチＳ２の消去信号が入力した時から所定時間（Ｔ０）だけ、その消去信号を保持する保持手段が設けられている。このため、電源投入時において、主制御基板１５２及び払出制御基板６９等が電気的に安定する前にＲＡＭ消去スイッチＳ２が押された場合でも、消去信号が主制御基板１５２及び払出制御基板６９によって確実に認識される。
また、主制御基板１５２及び払出制御基板６９には、ＲＡＭ消去スイッチＳ２からの消去信号を受けてＲＡＭ１５２ａ，６９ａに記憶された遊技データを消去する消去手段と、遊技データの消去をチェックするチェック手段と、遊技データが消去されなかった場合に前記遊技データを再度消去する再消去手段とが設けられている。このため、ＲＡＭ１５２ａ，６９ａの遊技データを確実に消去できるようになる。
【００６２】
さらに、遊技盤１２０には、主制御基板１５２及び払出制御基板６９のＲＡＭ１５２ａ，６９ａに記憶された遊技データが消去されたことを表示するための表示手段（図柄表示装置１４５）が設けられている。このため、遊技データが消去されたことを確認することができる。
また、パチンコ機に電源を投入する際にＲＡＭ消去スイッチＳ２が操作されたときのみ、そのＲＡＭ消去スイッチＳ２の消去信号によって主制御基板１５２及び払出制御基板６９の消去手段が動作する構成である。このため、遊技中にＲＡＭ消去スイッチＳ２が不正操作されても主制御基板１５２及び払出制御基板６９の遊技データが消去されることがない。
また、ガラス扉８０の内側には、そのガラス扉８０が閉じられた状態で、電源スイッチＳ１とＲＡＭ消去スイッチＳ２とを収納可能な収納ケースが設けられている。このため、例えば、遊技中にガラス扉８０と本体枠３０との隙間から特殊工具を差し入れて、電源スイッチＳ１あるいはＲＡＭ消去スイッチＳ２を操作するような不正行為を防止できるようになる。
【００６３】
［この発明の他の実施例について］
なお、この発明は前記実施例に限定するものではない。
例えば、本実施例では、本体枠３０の枠側コネクタを第１コネクタ１１１と第２コネクタ１１２とから構成し、遊技盤１２０の裏側コネクタを第１コネクタ１２５と第２コネクタ１２６とから構成する例を示したが、枠側コネクタ及び裏側コネクタをそれぞれ一個のコネクタで構成することも可能である。
さらに、本実施例では、本体枠３０の払出制御基板６９と遊技盤１２０の主制御基板１５２とを第１コネクタ１１１，１２５で接続し、本体枠３０のスピーカ５７と遊技盤１２０の副制御基板１５６とを第２コネクタ１１２，１２６で接続する例を示した。しかし、例えば、第１コネクタで本体枠３０と遊技盤１２０との間の信号配線を全て接続し、第２コネクタで本体枠３０と遊技盤１２０との間の電源配線を全て接続するような構成も可能である。
また、本実施例では、遊技盤１２０を本体枠３０の遊技盤装着枠１００に嵌込む際に、その遊技盤１２０の左側端部を遊技盤装着枠１００の後面受け部１０３と前面押え部１０４との間に差し込み、その遊技盤１２０を扉状に後方に回動させる例を示した。しかし、例えば、遊技盤１２０の下端部を遊技盤装着枠１００の下部後面受け部１０３と下部前面押え部１０４との間に差し込み、その遊技盤１２０を上方に回動させながら、嵌込む構成も可能である。
さらに、遊技盤１２０を本体枠３０の遊技盤装着枠１００に対してほぼ平行に保持した状態で、前から後に移動させ、その遊技盤１２０を遊技盤装着枠１００に嵌込む構成も可能である。
また、遊技盤１２０の嵌込み構造に合わせて、本体枠３０の第１、第２コネクタ１１１，１１２と、遊技盤１２０の第１、第２コネクタ１２５，１２６との配置を適宜変更しても良い。
【００６４】
［他の発明の手段及び作用効果について］
他の発明の手段１は、
「  請求項４に記載の遊技機であって、
消去スイッチの信号経路のうちで、遊技盤の第１遊技制御手段と本体枠の第２遊技制御手段との間の信号経路を構成する配線により伝送される消去信号の電圧は、前記第１遊技制御手段及び第２遊技制御手段の内部における消去信号の電圧よりも高い電圧に設定されており、
前記遊技盤の裏側コネクタ及び前記本体枠の枠側コネクタの端子には、前記第１遊技制御手段と第２遊技制御手段との間の信号経路を構成する配線により伝送される消去信号の電圧が加わるように構成されていることを特徴とする遊技機。」
このように、遊技盤の第１遊技制御手段と本体枠の第２遊技制御手段との間の信号経路を構成する配線により伝送される消去信号の電圧は、前記第１遊技制御手段及び第２遊技制御手段の内部における消去信号の電圧よりも高い電圧に設定されているため、前記配線に及ぶ静電気等のノイズの影響を受け難くなる。
【図面の簡単な説明】
【００６５】
【図１】この発明の実施例に係る遊技機の外枠の一側に本体枠が開かれその本体枠の一側にガラス扉が開かれた状態を示す斜視図である。
【図２】同じく遊技機の前側全体を示す正面図である。
【図３】同じく遊技機の後側全体を示す背面図である。
【図４】同じく遊技機の後側上部を拡大して示す部分背面図である。
【図５】同じく図４のＶ−Ｖ線に基づく側断面図である。
【図６】同じく図４のＶＩ−ＶＩ線に基づく側断面図である。
【図７】同じく遊技機の本体枠と遊技盤とを分離して斜め右上前方から示す斜視図である。
【図８】同じく遊技機の本体枠に各種部材が組み付けられた状態を斜め右上前方から示す斜視図である。
【図９】同じく本体枠単体を斜め右上前方から示す斜視図である。
【図１０】同じく本体枠を斜め右上後方から示す斜視図である。
【図１１】同じく本体枠単体を斜め右上後方から示す斜視図である。
【図１２】同じく外枠と本体枠とを分離した状態を示す斜視図である。
【図１３】同じく本体枠の下端部の滑走用突部を斜め下方から示す斜視図である。
【図１４】同じく外枠の下受板の当て板と本体枠の下端部の滑走用突部との関係を示す断面図である。
【図１５】同じく本体枠側の回路基板及び各スイッチと遊技盤側の各回路基板の接続状態を示すブロック図である。
【図１６】同じく本体枠、電源スイッチ、ＲＡＭ消去スイッチ、ガラス扉、囲い壁及び蓋部の関係を拡大して示す平断面図である。
【図１７】同じく本体枠の第１コネクタと遊技盤の第１コネクタとの構造を表す斜視図である。
【図１８】同じく本体枠の第１、第２コネクタと遊技盤の第１、第２コネクタとの構造を表す平断面図である。
【図１９】同じく払出制御基板のＲＡＭ消去手順を表すフローチャートである。
【図２０】同じくＲＡＭ消去スイッチの回路構成を表す模式図である。
【図２１】従来の遊技機においてガラス扉及び本体枠が開かれた状態を表す斜視図である。
【符号の説明】
【００６６】
１０      外枠
３０      本体枠
６９      払出制御基板（第２遊技制御手段、消去手段、チェック手段、再消去手段）
６９ａ    ＲＡＭ（記憶部）
８０      ガラス扉（開閉扉）
１００    遊技盤装着枠
１１１    本体枠側の第１コネクタ（枠側コネクタ）
１１２    本体枠側の第２コネクタ（枠側コネクタ）
１２０    遊技盤
１２５    遊技盤側の第１コネクタ（裏側コネクタ）
１２６    遊技盤側の第２コネクタ（裏側コネクタ）
１４５    図柄表示装置（表示手段）
１５２    主制御基板（第１遊技制御手段、消去手段、チェック手段、再消去手段）
１５２ａ  ＲＡＭ（記憶部）
２６０    囲い壁（収納ケース）
２６１    囲い壁（収納ケース）
２６５    蓋部（収納ケース）
２６６    蓋部（収納ケース）
Ｓ１        電源スイッチ
Ｓ２        ＲＡＭ消去スイッチ（消去スイッチ）
【図１】
2005261933.tif 000003
【図２】
2005261933.tif 000004
【図３】
2005261933.tif 000005
【図４】
2005261933.tif 000006
【図５】
2005261933.tif 000007
【図６】
2005261933.tif 000008
【図７】
2005261933.tif 000009
【図８】
2005261933.tif 000010
【図９】
2005261933.tif 000011
【図１０】
2005261933.tif 000012
【図１１】
2005261933.tif 000013
【図１２】
2005261933.tif 000014
【図１３】
2005261933.tif 000015
【図１４】
2005261933.tif 000016
【図１５】
2005261933.tif 000017
【図１６】
2005261933.tif 000018
【図１７】
2005261933.tif 000019
【図１８】
2005261933.tif 000020
【図１９】
2005261933.tif 000021
【図２０】
2005261933.tif 000022
【図２１】
2005261933.tif 000023